Podtech/llm-jp-corpus-v4-ja_patent huggingface dataset:
(57)【要約】      （修正有）【課題】紫外線（ＵＶ）をカットし冷凍または冷蔵保存ができ、次亜塩素酸水の長期保存を可能とするパウチを提供する。【解決手段】ＰＡ（ポリアミド）層、アルミ箔層、ＰＥ（ポリエチレン）層等を積層加工したフィルムからなり、アルミ箔層には厚さ９ｕｍ程度のアルミ箔を複数枚重ね合わせたことを特徴とする。【選択図】図１
0003153227.tif 000002
【実用新案登録請求の範囲】
【請求項１】
次亜塩素酸水を詰める専用のパウチであり、紫外線（ＵＶ）をカットし、冷凍または冷蔵による低温保存が可能なパウチとするため、ＰＡ（ポリアミド）層、アルミ箔層、ＰＥ（ポリエチレン）層等を積層加工したフィルムから作られるパウチであり、特に紫外線（ＵＶ）カットを確実に行い、且つパウチの折り曲げ強度を低下させないため、前記アルミ箔層のところに厚さ９ミクロン程度のアルミ箔を複数枚重ね合わせた構造とした事を特徴とする次亜塩素酸水用パウチ。
【考案の詳細な説明】
【技術分野】
【０００１】
本考案は、次亜塩素酸水を保存するための容器に関するものである。
【背景技術】
【０００２】
次亜塩素酸水は安全で滅菌殺菌効果があると言われているが、次亜塩素酸水それ自体では不安定で分解しやすい性質のため、容易に入手することが困難である。
【０００３】
次亜塩素酸水を生成する装置(特許第４０３１８７７号）を利用すれば、次亜塩素酸水を生成しながら使用できるので良いのだが、次亜塩素酸水の生成装置は高価であり一般各家庭に設置することは難しい。
【０００４】
そこで生成した次亜塩素酸水を容器に詰めて保存する方法が考えられるのだが、先に説明したように次亜塩素酸水それ自体は不安定で分解しやすく、紫外線（ＵＶ）により分解が促進され、温度の上昇と共に分解率は増加し、水溶液中にコバルト、ニッケル、銅、鉄等の重金属および塩類が存在してしまうと、いちじるしく分解が促進されてしまう性質を持っている。このため一般的な容器での保存はできないという問題がある。
【先行技術文献】
【特許文献】
【０００５】
【特許文献１】特許第４０３１８７７号
【考案の概要】
【考案が解決しようとする課題】
【０００６】
解決しようとする問題点は、次亜塩素酸水が長期保存できない点である。
【課題を解決するための手段】
【０００７】
本考案は、次亜塩素酸水の長期保存を可能とする専用の容器であり、紫外線をカットし、冷凍または冷蔵保存ができる容器とするため、ＰＡ（ポリアミド）層、 アルミ箔層、ＰＥ（ポリエチレン）層等を積層加工したフィルムで出来ているパウチであり、特に紫外線カットを確実に行うため、前記アルミ箔層のところを、厚さ９ミクロン程度のアルミ箔を複数枚重ね合わせた構造としたことを最も主要な特徴とする。
【考案の効果】
【０００８】
本考案の次亜塩素酸水用パウチは、積層加工したフィルムから製造するため、安価で大量に製造できるという利点がある。
【０００９】
さらに安価なパウチに次亜塩素酸水を詰めて供給するので、次亜塩素酸水を利用する上で高価な生成装置は必要なく、一般家庭での次亜塩素酸水の利用が可能となる。
【図面の簡単な説明】
【００１０】
【図１】図１は次亜塩素酸水用パウチの実施方法を示した説明図である。（実施例１）
【考案を実施するための形態】
【００１１】
耐次亜塩素酸、耐紫外線（ＵＶ）、耐低温という次亜塩素酸水を長期保存するために必要な条件を満たす容器とする目的を、ＰＡ（ポリアミド）、 アルミ箔、ＰＥ（ポリエチレン）等を積層加工したフィルムから製造するパウチとすることにより実現した。
【実施例１】
【００１２】
図１は、本考案装置の１実施例の断面図であって、１はパウチ本体、２はＰＡ（ポリアミド）層、３はアルミ箔層、４はＰＥ（ポリエチレン）層である。
【００１３】
パウチ本体１は、ＰＡ（ポリアミド）層２、アルミ箔層３、ＰＥ（ポリエチレン）層４が積層加工されたフィルムで出来ている袋状の容器である。
【００１４】
次亜塩素酸水が直接触れる最も内側の層は、耐水性、耐薬品性に優れたＰＥ（ポリエチレン）層４であり、最も外側の層は、耐熱性が良く低温における機械強度も高いＰＡ（ポリアミド）層２であり、該ＰＡ（ポリアミド）層２と該ＰＥ（ポリエチレン）層４の間は、紫外線（ＵＶ）カットに優れた効果を持つアルミ箔層３である。
【００１５】
該アルミ箔層３は、紫外線（ＵＶ）カットを確実に行うためには厚くする必要があるが、あまり厚くしてしまうとフィルムとしてのしなやかさが無くなりパウチの折り曲げ強度が低下してしまう。そこで厚さ９ミクロン程度のアルミ箔を複数枚重ね合わせることにより、パウチの折り曲げ強度を低下させることなく確実な紫外線（ＵＶ)カットができるようにした。
【００１６】
次亜塩素酸水は、紫外線（ＵＶ）により分解が促進され、温度の上昇と共に分解率は増加するので、該パウチ本体１に次亜塩素酸水を詰めることにより日光等の紫外線（ＵＶ）の影響を無くし、さらに冷凍または冷蔵保存することにより長期保存が可能となった。
【００１７】
実施例では、ＰＡ（ポリアミド）とアルミ箔とＰＥ（ポリエチレン）を組み合わせてパウチを製作したが、耐次亜塩素酸、耐紫外線（ＵＶ）、耐低温の条件を満たす材料であれば何でも良く、さらに容器もパウチにこだわる必要はなく、例えば缶としても良い。
【符号の説明】
【００１８】
１    パウチ本体
２    ＰＡ（ポリアミド）層
３    アルミ箔層
４    ＰＥ（ポリエチレン）層
【図１】
0003153227.tif 000003
(57)【要約】      （修正有）【課題】小型化を図り溶接大電流が流せて製造コストを引き下げ省エネルギーが図れる運転効率の高い電気溶接機用変圧器を提供する。【解決手段】必要回数を巻いた形成済みの一次巻線コイル２と「コ」の字形状の一回巻二次巻線コイル５を基本構成とし鉄磁路として巻線コイル長辺部にそれぞれ２個ずつ合計４個の巻鉄心１を配置する。予め形成された２に巻鉄心１を巻き付けて鉄磁路を形成した後の工程で５がスライド挿入される。また、二次巻線コイルを複数用いる場合はそれぞれのコイルの終端を短絡銅片で接続し必要巻線数を構成する。【選択図】図１
0003153280.tif 000002
【実用新案登録請求の範囲】
【請求項１】
鉄磁路として巻鉄心を用いた電気溶接機用変圧器に関する。
【請求項２】
請求項１に示す電気溶接機用変圧器には巻線コイル辺に１個または２個以上の複数の巻鉄心を有することを特徴とする。
【請求項３】
請求項１に示す電気溶接機用変圧器の二次巻線コイルを「コ」の字形状の巻回数１回の導線を１個または２個以上の複数で構成することを特徴とする。
【考案の詳細な説明】
【技術分野】
【０００１】  本考案は電気溶接機用変圧器の性能向上と製造コスト低減に関する。
【背景技術】
【０００２】  電気溶接機用変圧器は電力用変圧器としての基本構造を有し動作上から数種類に分けられるが、本考案の電気溶接機用変圧器は入力部に溶接通電時間および断続周期の調節機能を具備する制御装置の利用を前提とする電気溶接機用変圧器に関わる。
【考案の開示】
【考案が解決しようとする課題】
【０００３】  これまでの電気溶接機用変圧器の構造は鉄磁路がＥＩ型打抜き電磁鋼板の積層で磁路構成されるため鉄磁路の磁束量増大化に制限があり、電気出力容量が電流×磁束量で示されることから磁束量増大が可能になればこれまでの電気溶接機用変圧器に比べ小型化または大容量化することが可能となる。【０００４】  これまでのＥＩ型打抜き電磁鋼板を使った電気溶接機用変圧器を製作するには予め一次巻線コイルと二次巻線コイルを形成しておき、これに鉄磁路部に電磁鋼板を１枚ずつ所定枚数を積み重ねる方法で行なわれるために量産化に不適で製造コスト低減を困難にしている現状がある。このため製作コストを低減する方策が従来から模索されていた。【０００５】  従来の電気溶接機用変圧器の二次巻線コイルの製作において通常太い目の銅線が使用され数回巻のコイル状に形成する工程が必要でまた困難である上に電気絶縁処理作業の面からも製造コストを押し上げる仕組みとなっている。
【課題を解決するための手段】
【０００６】  従来の電気溶接機用変圧器が課題としている小型軽量化と製造コストの低減のために、本考案の電気溶接機用変圧器では鉄磁路として巻線コイルの各辺に１個または２個以上の複数個の巻鉄心を配し、予め形成した一次巻線コイルに巻き戻しておいた巻鉄心を巻き付ける製法が提案され課題解決を図っている。【０００７】  新しく「コ」の字形状の二次巻線コイルが採用され巻鉄心が一次巻線コイルに装着された後に巻鉄心中央部円筒空間に沿って必要個数の二次巻線コイルをスライド挿入させて装着することが可能となり簡略な工程となる。【０００８】  巻鉄心はＥＩ打抜き電磁鋼板の鉄心に比較し磁気抵抗が小さく透磁率の高い磁気的性能を有し、巻線コイルがコイル巻回数で同一であっても発生する磁束量が大きくなり電気出力を増大させることが可能で、この結果本考案の電気溶接機用変圧器の電気出力は従来のＥＩ打抜き型電磁鋼板電気溶接機用変圧器に比べて形状を小型化できる。運転効率面からは巻鉄心の鉄損が少ないことと一次巻線コイルの巻回数が減少する効果でコイルの電気抵抗が減少して銅損が減少することより運転効率の高い電気溶接機用変圧器となる。【０００９】  本考案になる巻鉄心型電気溶接機用変圧器には大電流を流すことをが求められ二次巻線コイルとして１回巻の平角導線が１個または複数個採用される。「コ」の字形状のコイルは形成作業と電気絶縁処理作業が容易となり同時に二次巻線コイル部での放熱条件が良好となり放熱対策処理が簡素化されて製造コストの低減が図られる。
【考案を実施するための形態】
【００１０】  本考案を実現するための構造図面を［図１］に示す。必要回数を巻いた形成済みの一次巻線コイル▲２▼と「コ」の字形状の一回巻二次巻線コイル▲５▼を基本構成とし鉄磁路として巻線コイル長辺部にそれぞれ２個ずつ合計４個の巻鉄心▲１▼が配置されている。予め形成された▲２▼に巻鉄心▲１▼を巻き付けて鉄磁路を形成した後の工程で▲５▼がスライド挿入される。
［図１］では二次巻線コイルが１個の場合について示しているが複数用いる場合はそれぞれのコイルの終端を短絡銅片で接続し必要巻線数を構成する。
【考案の効果】
【００１１】  本考案で提案する巻鉄心型電気溶接機用変圧器は従来のＥＩ電磁鋼板型電気溶接機用変圧器と比べ第一に製造コストを押し下げる効果を有し第二に小型軽量化が図られる。また高性能磁性体の使用で無負荷損と銅損が低減され、これに伴い運転効率が向上し省エネルギー効果をもたらす。
【考案の実施するための最良の形態】
【００１２】  ［図１］は本考案実施に最良の回路形態である。
【実施例】
【００１３】  単相２００Ｖ出力容量が５ＫＶＡの巻鉄心型電気溶接機用変圧器を製作し実際に負荷を接続し特性測定を行なった。負荷条件を溶接電流に相当する二次電流を短時間だけそれぞれ１．７５ＫＡ、２．５６ＫＡ、３．３０ＫＡとした時に、一次電流はそれぞれ１０．９Ａ、１５．２Ａ、１８．７Ａであった。この時温度上昇はＢ種絶縁温度上昇限度範囲内であることが確認された。
【産業上の利用可能性】
【００１４】  本考案になる巻鉄心型電気溶接機用変圧器は小型軽量化されて製造原価が低減され、運転・操業する際には効率が高い特性を有するもので、電気溶接機用変圧器を扱う産業分野で多くの利用と導入が期待される。
【図面の簡単な説明】
【００１５】
【図１】は本考案になる巻鉄心型電気溶接機用変圧器簡略図である。▲１▼は巻鉄心で一次及び二次巻線コイルの２本の長辺部にそれぞれ２個ずつ配置される。▲５▼は巻回数１回の「コ」の字形状の二次巻線コイルである。
【００１６】
【図２】は巻鉄心型電気溶接機用変圧器製作手順（１）概略図で一次巻線コイルを示し巻鉄心の取付け前の図面を表す。
【００１７】
【図３】は巻鉄心型電気溶接機用変圧器製作手順（２）概略図で巻鉄心取付け後の図面を表す。「コ」の字形状の二次巻線コイルはこの後にスライド挿入されて完成図は［図１］となる。
【図１】
0003153280.tif 000003
【図２】
0003153280.tif 000004
【図３】
0003153280.tif 000005
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
鉄磁路として巻鉄心を用いた電気溶接機用変圧器。
【請求項２】
巻線コイル辺に１個または２個以上の複数の巻鉄心を有することを特徴とする請求項１記載の電気溶接機用変圧器。
【請求項３】
「コ」の字形状の巻回数１回の導線を１個または２個以上の複数で構成した二次巻線コイルを有することを特徴とする請求項１記載の電気溶接機用変圧器。
(57)【要約】      （修正有）【課題】各立方体表面に書かれている絵柄を指の触感で識別して、麻雀のルールに準じて絵柄の並びを完成させる立方体パズルを提供する。【解決手段】立方体パズルの遊び方のバリエーションを増やすべく、該立方体パズルを構成する小さな立方体の５４個の表面に、麻雀牌と同様の彫刻と着色を施し、立方体パズルの各側面毎に麻雀牌の種類別に配列する。【選択図】図１
0003153273.tif 000002
【実用新案登録請求の範囲】
【請求項１】
表面に麻雀牌と同様の彫刻と着色を施されたルービック・キューブ。
【請求項２】
パズル完成状態において、各側面に麻雀牌の絵柄が麻雀ルールに則った順列で並ぶルービック・キューブ。
【考案の詳細な説明】
【技術分野】
【０００１】  本考案は、玩具ルービック・キューブの表面の形状に関する。
【背景技術】
【０００２】  ルービック・キューブ。既存の立体パズル玩具。【０００３】  麻雀牌。既存の遊戯用具。表面に各々３４種類の彫刻と着色が施された小片。
【考案の開示】
【考案が解決しようとする課題】
【０００４】  短時間の余暇を楽しむ目的にはルービック・キューブは有用であるが、絵柄を見なければならないため目を酷使する仕事の休憩などには適していない。表面に凹凸を施されたもの。複雑な形状をしたものもあるが、形状が触感で容易に識別できてしまうものが多く、触感自体を楽しめるようなものは少ない。
【課題を解決するための手段】
【０００５】  指の触感のみで各キューブを識別でき、かつ飽きの来ないよう難解な形状にするため、麻雀牌の柄を用いる。（図１）
【考案の効果】
【０００６】  本考案により、麻雀上級者が牌を触って識別する盲牌（もうぱい）と呼ばれる技術を用いることで、ルービック・キューブの絵柄を見ることなくパズルを完成することができ、盲牌技術の鍛錬にも役立つ。【０００７】また、麻雀牌の種類を遊びながら覚えることに役立つ。
【考案を実施するための最良の形態】
【０００８】  触感が重要であるので、表面の柄と彫刻は一般に認知されている麻雀牌のそれとかけ離れたものであってはならない。【０００９】  しかし各キューブの面積が麻雀牌よりも小さいものの場合は、複雑な形をした柄を触感で識別することが困難となるため柄を簡略化する。例：「伍萬」→「五」、「發」→「発」、一索（図３）。また白（ハク）の牌は無地であるため「白」を当てる。【００１０】  麻雀ルール学習の用途とするためにはパズル完成状態においての各側面が、萬子（マンズ）、筒子（ピンズ）、索子（ソウズ）、字牌（ツーハイ）の４種のいずれかの柄に分かれ、かつルールに則った順序で柄が並ぶように施す必要がある。（図２）だが、キューブが５４面あるのに対し麻雀牌は３４種類しかないので同じ柄の面をいくつか作らなければならない。
【図面の簡単な説明】
【００１１】
【図１】麻雀牌柄を施したルービック・キューブの斜視図である。
【図２】ルービック・キューブの展開図である。（配列は一例）。
【図３】一索（イーソウ）の絵柄である。
【符号の説明】
【００１２】Ａ    一索（イーソウ）の孔雀を模した一般的な絵柄。
Ｂ    一索（イーソウ）を簡略化した絵柄。
【図１】
0003153273.tif 000003
【図２】
0003153273.tif 000004
【図３】
0003153273.tif 000005
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
表面に麻雀牌と同様の彫刻と着色を施された立方体パズル。
【請求項２】
パズル完成状態において、各側面に麻雀牌の絵柄が麻雀ルールに則った順列で並ぶ立方体パズル。
【手続補正２】
【補正対象書類名】明細書
【補正対象項目名】全文
【補正方法】変更
【補正の内容】
【考案の詳細な説明】
【技術分野】
【０００１】  本考案は、玩具立方体パズルの表面の形状に関する。
【背景技術】
【０００２】立方体パズル。既存の回転式立体組合せ玩具。【０００３】麻雀牌。既存の遊戯用具。表面に各々３４種類の彫刻と着色が施された小片。
【考案の開示】
【考案が解決しようとする課題】
【０００４】  短時間の余暇を楽しむ目的には立方体パズルは有用であるが、絵柄を見なければならないため目を酷使する仕事の休憩などには適していない。表面に凹凸を施されたもの。複雑な形状をしたものもあるが、形状が触感で容易に識別できてしまうものが多く、触感自体を楽しめるようなものは少ない。
【課題を解決するための手段】
【０００５】  指の触感のみで各立方体を識別でき、かつ飽きの来ないよう難解な形状にするため、麻雀牌の柄を用いる。（図１）
【考案の効果】
【０００６】  本考案により、麻雀上級者が牌を触って識別する盲牌（もうぱい）と呼ばれる技術を用いることで、各立方体の絵柄を見ることなくパズルを完成することができ、盲牌技術の鍛錬にも役立つ。【０００７】また、麻雀牌の種類を遊びながら覚えることに役立つ。
【考案を実施するための最良の形態】
【０００８】  触感が重要であるので、表面の柄と彫刻は一般に認知されている麻雀牌のそれとかけ離れたものであってはならない。【０００９】しかし各立方体の面積が麻雀牌よりも小さいものの場合は、複雑な形をした柄を触感で識別することが困難となるため柄を簡略化する。例：「伍萬」→「五」、「發」→「発」、一索（図３）。また白（ハク）の牌は無地であるため「白」を当てる。【００１０】  麻雀ルール学習の用途とするためにはパズル完成状態においての各側面が、萬子（マンズ）、筒子（ピンズ）、索子（ソウズ）、字牌（ツーハイ）の４種のいずれかの柄に分かれ、かつルールに則った順序で柄が並ぶように施す必要がある。（図２）だが、立方体パズルが５４面あるのに対し麻雀牌は３４種類しかないので同じ柄の面をいくつか作らなければならない。
【図面の簡単な説明】
【００１１】
【図１】麻雀牌柄を施した立方体パズルの斜視図である。
【図２】立方体パズルの展開図である。（配列は一例）。
【図３】一索（イーソウ）の絵柄である。
【符号の説明】
【００１２】  Ａ    一索（イーソウ）の孔雀を模した一般的な絵柄。
Ｂ    一索（イーソウ）を簡略化した絵柄。
(57)【要約】      （修正有）【課題】ＬＥＤチップを発光源とし、安価で効率の良い照明用管を提供する。【解決手段】ＬＥＤチップ２から出る光を有効にガラス管外に出すためにＬＥＤチップを搭載しているプリント基板１１，１２，１３の面を複数方向にし、ＬＥＤチップの発光面を管内面に垂直または垂直に近い角度になるように配置し、蛍光灯型ＬＥＤ管を構成する。【選択図】図４
0003153278.tif 000002
【実用新案登録請求の範囲】
【請求項１】
筒型の管内部に設置され、その上面に１個乃至複数個のＬＥＤチップが装着された複数のエポキシ基板上面の向きが管の円断面からみて複数の傾きを持っている蛍光灯型ＬＥＤ管。
【請求項２】
筒型の管内部に設置され、その上面に複数個のＬＥＤチップが装着されたエポキシ基板の上面の向きが複数の傾きを持っている蛍光灯型ＬＥＤ管。
【考案の詳細な説明】
【技術分野】
【０００１】  本考案は、ＬＥＤチップを発光源とする照明用装置に関するものである。
【背景技術】
【０００２】  筒型の管の内部にプリント基板を設け、その上面に複数のＬＥＤチップを搭載した照明装置が作られているが、従来の蛍光灯のあかるさと同じにするにはチップの数を多く使用することが必要である。
【考案の開示】
【考案が解決しようとする課題】
【０００３】  これはＬＥＤチップの発光面から発光する光の方向が同一となって筒型の管表面から有効に出ていないことによる。
【課題を解決するための手段】
【０００４】  本考案は、ＬＥＤチップから出る光を有効にガラス管外に出すためにその発光面の向きを管内面に垂直または垂直に近い角度になるようにしたものである。
【実施例】
【０００５】  以下、添付図面に従って従来のものと比較して一実施例を説明する。【０００６】  図１は、従来の蛍光灯型ＬＥＤ装置。図２はその内部でプリント基板１とその上に搭載されたＬＥＤチップ２を示す。図３は、その円断面を示す。【０００７】  図４は本考案による蛍光灯型ＬＥＤ管の内部で、プリント基板１１、１２、１３とその上に搭載されたＬＥＤチップ２１を示す。ＬＥＤチップ２１は管の軸に平行に配置されたプリント基板（本図の例では３枚）の上に軸に平行に複数個搭載されている。【０００８】  ＬＥＤ基板１１、１２、１３が円断面から見て傾いていること、従ってその上に搭載されているＬＥＤチップ２１ａ、２１ｂ、２１ｃの発光面が異なっていることが本考案の特徴である。
図５は本考案の円断面である。図７はＬＥＤから発する光がプリント基板の傾きが違うことでその角度が異なることがわかる。
図８は従来のプリント基板１とその上に搭載されたＬＥＤチップで光の方向が同じである。【０００９】  図６は本考案の別の例で、プリント基板２１が一枚からなり管に沿った二つの直線で曲げ加工されている。
【考案の効果】
【００１０】  本考案によれば、ＬＥＤチップからの発光が有効に筒型の管外部から出て照明に効率よく利用される。少ないＬＥＤチップで明るさを増し、より明るい照明装置を提供できることは安価に作れることともつながる。
【産業上の利用の可能性】
【００１１】  本考案によって、従来不可能であった明るい蛍光灯型ＬＥＤ管を可能とし、また同じＬＥＤチップの数でより明るいＬＥＤ管を可能とした。
【図面の簡単な説明】
【図１】    従来の蛍光灯型ＬＥＤ管概観図
【図２】    従来の蛍光灯型ＬＥＤ管の内部で、プリント基板とＬＥＤチップを示す。
【図３】    従来の蛍光灯型ＬＥＤ管の円断面
【図４】    本考案の蛍光灯型ＬＥＤ管の内部で、プリント基板とＬＥＤチップを示す。
【図５】    本考案の蛍光灯型ＬＥＤ管の円断面をしめす。
【図６】    本考案の別例で蛍光灯型ＬＥＤ管の内部で、プリント基板とＬＥＤチップを示す。
【図７】    本考案の蛍光灯型ＬＥＤ管のＬＥＤチップから発光する光の向きを示す。
【図８】    従来の蛍光灯型ＬＥＤ管のＬＥＤチップから発光する光の向きを示す。
【符号の説明】          １      従来のプリント基板
２      ＬＥＤチップ
１１      本考案のプリント基板
１２      本考案のプリント基板
１３      本考案のプリント基板
２１      本考案の別例のプリント基板
【図１】
0003153278.tif 000003
【図２】
0003153278.tif 000004
【図３】
0003153278.tif 000005
【図４】
0003153278.tif 000006
【図５】
0003153278.tif 000007
【図６】
0003153278.tif 000008
【図７】
0003153278.tif 000009
【図８】
0003153278.tif 000010
(57)【要約】【課題】本考案はカード本体の表面に百人一首の上の句、裏面に下の句を印刷することで、歌の暗記とカルタ取りの両方を可能にする。【解決手段】本考案はカード本体１の表面に上の句２を、裏面に下の句３を印刷し、リング４で留めることにより、百人一首の歌の暗記カードとなり、リング４から本体１を外して下の句３を表にして並べればカルタ取りの取り札となる。百首すべてが記載されたリストを別に添付することにより、小さなスペースで簡単にカルタ取りを楽しむことができる。【選択図】図１
0003153275.tif 000002
【実用新案登録請求の範囲】
【請求項１】
カードの表面に百人一首の上の句と作者、裏面に下の句を印刷し、５０枚ずつをリングでひとまとめにした百人一首暗記兼カルタ取り用カード教材。
【考案の詳細な説明】
【技術分野】
【０００１】
本考案は百人一首の上の句と下の句を表と裏に印刷したカード教材に関するものである。
【背景技術】
【０００２】
百人一首は小・中・高等学校の国語の授業に於いて学習されており、その初歩段階では
主に教科書を使って歌を暗記する方法がとられている。又、百人一首のカルタは、読み札と取り札を分け、読み札を読んで下の句の取り札を取る遊戯用カードである。これらは共に歌の暗記用には作られておらず、百人一首の歌の暗記もカルタ取りもできる学習教材は販売されていない。
【考案の概要】
【考案が解決しようとする課題】
【０００３】
教科書記載の百人一首は歌の概要について学習するためのものである。又、百人一首のカルタは遊戯用に作られたものであるため、歌の暗記を目的として持ち運ぶには重く適していない。学習用の暗記カードとカルタ取りの遊戯用カードを兼ねた教材とすることで、前述の問題点を解決しようとするものである。
【課題を解決するための手段】
【０００４】
本考案はカード本体の表面に百人一首の作者名と上の句、裏面に下の句を印刷し、単語
帳形式で５０枚ずつをひとまとめにしてリングで留め、百首すべての歌の一覧表を添付す
ることにより問題点を解決している。
【考案の効果】
【０００５】
上述のように、本考案の百人一首暗記カードは百人一首の暗記に適した携帯できるカー
ド教材であり、尚かつ自宅や教室で手軽にカルタ取りの雰囲気を楽しむことができるとい
う点で学習教材として役立つ。
【考案を実施するための形態】
【０００６】
カード本体を５０枚ずつに分け、リングで留めることにより持ち運びが便利になり、通
学途中などでも暗記学習に役立てることができる。又、百首の歌の一覧表を添付すること
により、リングからカードを外して手軽にカルタ取りを楽しむことができる。
【実施例】
【０００７】
以下、添付図面に従って一実施例を説明する。１は厚紙素材のカード本体。２は作者名
と上の句。３は下の句。４は携帯して暗記を確認するために留めるリング。５０首ずつ留
めて、上の句から下の句、下の句から上の句が言えるかを自ら確かめる。  カードをリン
グから外してカルタ取りの要領で並べれば、取り札になる。
【０００８】
本考案の一実施例は上述の如き構成からなるものであるから、カード本体１を携帯し、
登下校の途中で暗記カードとして用いることもできるし、自宅や教室でリング４を外して
下の句３を表にして並べ、百人一首のカルタ取りを楽しむこともできる。
【図面の簡単な説明】
【０００９】
【図１】本考案の百人一首記憶カードを束ねた状態の図である。
【符号の説明】
【００１０】
１  カード本体
２  上の句
３  下の句
４  リング
【図１】
0003153275.tif 000003
(57)【要約】【課題】プラゴミなどのかさばるゴミをレジ袋の中に簡単に圧縮して収めることが出来、満杯になった後、容易にレジ袋の口を縛り、ゴミ箱から取り出せることである。【解決手段】内側にレジ袋をセットするゴミ箱の投入口を小さな四角い穴とする。レジ袋の取手部を、その穴より引き上げ、穴の両側の取手掛けにかける。【選択図】図１
0003153274.tif 000002
【実用新案登録請求の範囲】
【請求項１】
ゴミ箱の天板もしくはフタにゴミ箱の底面積の３分の１以下の面積の四角い穴の投入口をあけ、その穴より引き上げたレジ袋の取手部を掛ける取手掛けを穴の両側に設けたレジ袋活用ゴミ箱。
【請求項２】
底板のないゴミ箱
【考案の詳細な説明】
【技術分野】
【０００１】本考案は、家庭より排出されるプラゴミ（プラスチックゴミ）等の様にかさばるゴミをレジ袋の中に、沢山詰め込むことの出来るゴミ箱に関するものである。
【背景技術】
【０００２】従来は家庭用の安価で実用的な圧縮式レジ袋活用ゴミ箱がなかった。
【考案の開示】
【考案が解決しようとする課題】
【０００３】プラゴミなどのかさばるゴミをレジ袋の中に簡単に圧縮して収めることが出来、満杯になった後、容易にレジ袋の口を縛り、ゴミ箱から取り出せることである。
【課題を解決するための手段】
【０００４】内側にレジ袋をセットしたゴミ箱の投入口を小さな四角い穴とし、レジ袋の取手部を、その穴より上に引き上げ、穴の両側の取手掛けに、レジ袋の取手部を掛ける。
【考案の効果】
【０００５】投入口を小さくすることで、かさばるプラゴミなどを、手で押し込むと、圧縮されながら、中に通常の２〜３倍を溜めることができる。【０００６】満杯の時は、レジ袋の取手部を取手掛けから外し、ゴミは圧縮されたままで穴の部分で取手部を楽に縛ることが出来る。
【考案の実施例】
【０００７】一般的なレジ袋の大きさに合わせるとゴミ箱の大きさは、
幅３４０×奥行２３０×高さ３５０である。
四角い穴の大きさは、１００〜１２０角とした。
【０００８】四角い穴の部分を天板とする時は、底板を無くすことで、下からレジ袋を取り出す。
フタとする時はフタを外し、上にレジ袋を取り出す。
【図面の簡単な説明】
【０００９】
【図１】ゴミ箱斜視図
【符号の説明】
【００１０】１、  ゴミ箱本体
２、  取手掛け
３、  天板  又は  フタ
４、  穴
５、  底板
【図１】
0003153274.tif 000003
【手続補正書】
【提出日】平成21年4月24日(2009.4.24)
【手続補正１】
【補正対象書類名】実用新案登録請求の範囲
【補正対象項目名】請求項２
【補正方法】削除
【補正の内容】
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の天板もしくはフタにゴミ箱の底面積の３分の１以下の面積の四角い穴の投入口をあけ、その穴より引き上げたレジ袋の取手部を掛ける取手掛けを穴の両側に設けたレジ袋活用ゴミ箱。
(57)【要約】      （修正有）【課題】温度管理のできる自販機及び冷蔵棚で販売、保管が容易にでき、内容量と炊飯する時の水の分量が解り、米を入れ替える事無く簡単に米の洗える容器を提供する。【解決手段】透明で口部分に米の出ない程度の穴のあいたシールを貼った筒状の容器本体と蓋から成り、容器本体に入っている米の容量とその米に対する炊飯時に必要な水の分量を本体に記したことを特徴とする。【選択図】図２
0003153287.tif 000002
【実用新案登録請求の範囲】
【請求項１】
米を入れる容器。
【請求項２】
内容量と炊飯する時の水の分量が記された容器。
【請求項３】
米を別の容器に移し替える事無く米を洗える容器。
【考案の詳細な説明】
【技術分野】
【０００１】
米を入れる容器で自販機や冷蔵棚に入れる事が出来、そのまま中の米を洗うことが出来る容器で、米を炊く時の水の量が解り炊飯までの過程を容易にする容器に関するものである。
【背景技術】
【０００２】
現在米は袋状の物に入れ店頭で販売されていて、別容器に計って入れ洗わなくてはならない、又炊飯の時の水の量を計量カップなどで計らなくてはならない。
【先行技術文献】
【特許文献】
【０００３】
【特許文献１】特開２０００−１０７０４９
【考案の概要】
【考案が解決しようとする課題】
【０００４】
米は低温で保存されるのが理想であり、自販機又は冷蔵棚に入れて温度調節する事により消費者に渡るまでの温度管理が出来る。
【０００５】
消費者が買った後で容易に冷蔵庫に入れる事ができる。
【０００６】
普通米はそのまま炊くことが出来ず洗わなければならないが、それを容易にできる様にする容器である。
【０００７】
容器に炊飯する時の米の量に対する水の分量を記し誰でもが容易に炊飯できるようにした容器である。
【課題を解決するための手段】
【０００８】
図１の８の透明の筒状の容器にする。
【０００９】
図１で米の量が解る１、３、水の量が解る２，４を形状又は記述する。
【００１０】
図２の５から水を入れ、図１の６の蓋をし容器を振り水を捨てる。これを数回繰り返しシールをはがし米を炊飯器に入れることができる。
【００１１】
図２の５は網目状のシールとする。
【考案の効果】
【００１２】
米を自動販売機又は冷蔵棚で売る事ができる。
米を少量１合、２合、３合の単位で消費者が買える。
自販機を設置する場所により店舗が空いていなくても米を買うことが出来る。
消費者が米を簡単に炊飯する事ができる。
【図面の簡単な説明】
【００１３】
【図１】本考案の容器の側面図
【図２】本考案の容器の断面図
【考案を実施するための形態】
【００１４】
米を入れる容器８の適した形態は透明の容器で、今一般にお茶を市販している自販機に入れられる大きさの容器とする。
米を入れ、口７の所に５のシールをして、６の蓋をして、全体をフイルムでシールしこれを自販機及び冷蔵棚に入れる容器。
【実施例】
【００１５】
本容器に米１合および２合を入れ全体をフイルムでシールして米に適した温度に設定した自販機に入れて販売する。冷蔵棚では３合入りの物も販売できる。
【産業上の利用可能性】
【００１６】
本考案の容器は米を入れてラッピングして自販機又は冷蔵棚で米を売るものであるが、ラッピングフイルムに産地、銘柄、特徴などを記すことによりいろんな米を同一の自販機又は冷蔵棚で売る事ができる。消費者はその時々により自分の好みに合った米を、１合、２合、３合の単位で買うことができる。
本考案の容器は自販機に入れるだけでなく、棚に並べる時も一本一本を立てて並べることが出来、小スペースで良い。米の流通の革命にもなりうる。米を２合まで入れる容器では、今までお茶などの飲料水の販売で使われている自販機を使うことができる。本容器を大きくする事により３合までは冷蔵庫などの棚で保存することが可能である。
産地米などの販売や流通に適しているため各農協で取り組むことが出来ると思われる。昨今の核家族や米離れの時の米を入れる容器として適している。
【符号の説明】
【００１７】
１・・・米１合の分量
２・・・米１合に対する水の分量
３・・・米２合の分量
４・・・米２合に対する水の分量
５・・・水が出入りするシール
６・・・蓋
７・・・シールを張る口部分
８・・・透明の容器
【図１】
0003153287.tif 000003
【図２】
0003153287.tif 000004
【手続補正書】
【提出日】平成21年6月18日(2009.6.18)
【手続補正１】
【補正対象書類名】実用新案登録請求の範囲
【補正対象項目名】全文
【補正方法】変更
【補正の内容】
【実用新案登録請求の範囲】
【請求項１】
透明で口部分に米の出ない程度の穴のあいたシールを貼った筒状の容器本体と蓋から成る米を入れる容器
【請求項２】
上記容器本体に入っている米の容量とその米に対する炊飯時に必要な水の分量を本体に記した事を特徴とする請求項１記載の容器
(57)【要約】      （修正有）【課題】人体腹部の異常患部を、押圧マッサージ効果により、血行を良くしたり腹部の押圧マッサージ効果を最大に発揮し、腸のぜん動運動を促して、便秘症にも有効である腹部押圧治療による健康器具を提供する。【解決手段】木製、又は樹脂製からなる棒状の用具であり、前記棒状用具の上部１には、丸い形状をもつ握り部、下部３には窪みのある形状をもち、上部と下部の形状を使用することにより、両方の変化ある押圧ができる。又、中間部２にある握部を両手で握り、腹部を自在に押圧することにより、有効なマッサージ効果を得る。【選択図】図１
0003153288.tif 000002
【実用新案登録請求の範囲】
【請求項１】
木製、又は樹脂製からなる用具であり、簡単な形状で人体腹部の患部に有効な押圧によるマッサージ効果を最大化する健康器具。
【考案の詳細な説明】
【技術分野】
【０００１】本考案は、木製又は樹脂製からなる腹部押圧用器具に関する。
【背景技術】
【０００２】従来のきわめて簡単な構成である人体の「つぼ」を押圧する棒状の細い物や先の鋭角の形状の物が多く、腹部に有効な押圧マッサージをするには難しい。
【考案の開示】
【考案が解決しようとする課題】
【０００３】人体の腹部に異常患部を押圧マッサージ効果により、血行を良くし、又、腸のぜん動運動を促して、便秘症にも有効であり、腹部の押圧マッサージ効果を最大化する腹部押圧治療による健康器具を提供する。
【課題を解決するための手段】
【０００４】本考案は、木製、又は樹脂製からなる棒状の用具であり、前記の上部には、丸い形状をもつ握り部があり、下部には、窪みのある形状を持ち、上部と下部の形状により、両方の変化のある押圧ができ、この用具の中間部にある握り部を両手で握り、腹部を自在に押圧することにより、有効な効果が達成できる。
【考案を実施するための形態】
【０００５】図１に示すように、用具の上部は、丸い形状。
中間部に握り部がつき、下部は窪みのある形状で滑りのない押圧ができる。
上・下を逆に使用することで、変化のある押圧マッサージも可能である。
【考案の効果】
【０００６】人体腹部の異常患部を時計回りの押圧により、マッサージ効果を最大に発揮し、血行を良くしたり、腸のぜん動運動を促して便秘に対し便通を良くする健康器具である。
造形物としては簡単で、実用性に優れたものである。
【図面の簡単な説明】
【０００７】
【図１】本考案に係る腹部押圧治療具の立面図。
【図２】本考案に係る腹部押圧治療具の正面図。
【図３】本考案に係る腹部押圧治療具の側面断面図。
【図４】本考案に係る腹部押圧治療具の詳細な立面図。
【符号の説明】
【０００８】１：上部  握部
２：中間  握部
３：底部  握部
【図１】
0003153288.tif 000003
【図２】
0003153288.tif 000004
【図３】
0003153288.tif 000005
【図４】
0003153288.tif 000006
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
木製、又は樹脂製からなる棒状の用具であり、前記の上部には、丸い形状をもつ握り部があり、下部には、窪みのある形状を持ち、上部と下部の形状により、両方の変化ある押圧ができ、この用具の中間部にある握り部を両手で握り、人体の腹部を自在に押圧することにより、便秘症に強い有効な押圧マッサージ効果が達成できる器具。
【手続補正２】
【補正対象書類名】明細書
【補正対象項目名】全文
【補正方法】変更
【補正の内容】
【考案の詳細な説明】
【技術分野】
【０００１】本考案は、木製又は樹脂製からなる腹部押圧用器具に関する。
【背景技術】
【０００２】従来のきわめて簡単な構成である人体の「つぼ」を押圧する棒状の細い物や先の鋭角の形状の物が多く、腹部に有効な押圧マッサージをするには難しい。
【考案の開示】
【考案が解決しようとする課題】
【０００３】人体の腹部に異常患部を押圧マッサージ効果により、血行を良くし、又、腸のぜん動運動を促して、便秘症にも有効であり、腹部の押圧マッサージ効果を最大化する腹部押圧治療による健康器具を提供する。
【課題を解決するための手段】
【０００４】本考案は、木製、又は樹脂製からなる棒状の用具であり、前記の上部には、丸い形状をもつ握り部があり、下部には、窪みのある形状を持ち、上部と下部の形状により、両方の変化のある押圧ができ、この用具の中間部にある握り部を両手で握り、人体の腹部を自在に押圧することにより、便秘症に有効な強い押圧マッサージ効果が達成できる。
【考案を実施するための形態】
【０００５】図１に示すように、用具の上部は、丸い形状。中間部に握り部がつき、下部は窪みのある形状で滑りのない押圧ができる。上・下を逆に使用することで、変化のある押圧マッサージも可能である。
【考案の効果】
【０００６】人体腹部の異常患部を時計回りの押圧により、マッサージ効果を最大に発揮し、血行を良くしたり、腸のぜん動運動を促して便秘に対し便通を良くする健康器具である。造形物としては簡単で、実用性に優れたものである。
【図面の簡単な説明】
【０００７】
【図１】本考案に係る腹部押圧治療具の立面図。
【図２】本考案に係る腹部押圧治療具の正面図。
【図３】本考案に係る腹部押圧治療具の側面断面図。
【図４】本考案に係る腹部押圧治療具の詳細な立面図。
【符号の説明】
【０００８】  １：上部握部  ２：中間握部  ３：底部握部
【手続補正３】
【補正対象書類名】図面
【補正対象項目名】全図
【補正方法】変更
【補正の内容】
【図１】
0003153288.tif 000007
【図２】
0003153288.tif 000008
【図３】
0003153288.tif 000009
【図４】
0003153288.tif 000010
(57)【要約】      （修正有）【課題】糸留め溝を容易に目視確認でき、糸留め作業を素早く且つ確実に行うことができる糸巻き枠を提供する。【解決手段】糸巻き枠の糸留め溝付近に同溝の設定位置を示すための色付けか外形形状に変化を付けて同溝の設定位置を容易に目視検出できるようにした。【選択図】図１
0003153286.tif 000002
【実用新案登録請求の範囲】
【請求項１】
糸巻き枠の糸留め溝付近に着色、色付け明示することで、糸留め溝の設置位置を容易に識別、検出できるようする。
【請求項２】
糸巻き枠の糸留め溝付近に切り込み、段差等の周辺形状との変化を付けることで、その溝の設置位置を容易に識別、検出できるようにする。
【考案の詳細な説明】
【技術分野】
【０００１】本考案は工業用、家庭用ミシン、手芸用糸及び和裁に使用する糸巻き枠の糸留めに関するものである。
【背景技術】
【０００２】従来よりミシン用、手芸用或いは和裁用糸巻き枠には巻き糸が勝手にほどけるのを防止するための「糸留め溝」が設けてある。
【特許文献１】
【非特許文献】
【考案の概要】
【考案が解決しようとする課題】
【０００３】ところが前記の糸巻き枠への「糸留め溝」を付けただけの構造ではその溝の位置がわかりにくい。
その結果、その糸巻き枠をミシンに装着する際の装着向きによっては使用中に不意に糸が巻留め溝に引っかかって切断されてしまう危険性が非常に高い。【０００４】また、使用後の糸留め時には、その溝位置の確認に手間取る。
【課題を解決するための手段】
【０００５】そこで本考案は、糸巻き枠の「糸留め溝」の位置を目視確認し易く明示するものです。
【考案の効果】
【０００６】糸巻き枠の糸留め溝の位置を容易に目視確認することができることで、ミシンに糸巻き枠を装着して使用する際に、糸が不意に糸巻き枠の糸留め溝に引っかかって切断されてしまう危険性の無い向きに糸巻き枠を装着することが非常に容易になる。【０００７】また、使用後糸巻き枠への糸留め作業を行う際には素早く且つ確実に行うことができるようになる。
【考案を実施するための最良の形態】
【０００８】以下、本考案を具体化した第１実施形態を図面に基づいて説明する。
【実施例１】
【０００９】図４、図５、図８、図１０、図１１に示すように、糸巻き枠に付けた「糸留め溝」の位置付近に着色明示し目視確認し易いようする。
【実施例２】
【００１０】図６、図７、図９に示すように、糸巻き枠の外形に凹凸等の形状変化を付けて溝の位置を明確にする。
【産業上の利用可能性】
【００１１】本考案は縫製加工産業分野のみならず家庭用においても、その作業性の改善を図ることができる。
【図面の簡単な説明】
【００１２】
【図１】本考案の第１及び第２の実施の形態に係る糸巻き枠の外観図である。
【図２】本考案の第１及び第２の実施の形態に係る糸巻き枠の外観図である。
【図３】本考案の第１及び第２の実施の形態に係る糸巻き枠の外観図である。
【図４】図１、図２、図３の糸巻き枠の糸留め溝位置を目視確認し易いようにその付近に着色表示した図である。
【図５】図１、図２、図３の糸巻き枠の糸留め溝位置を目視確認し易いようにその付近に着色表示した図である。
【図６】図１、図２、図３の糸巻き枠の糸留め溝位置付近の外形形状に変化をつけた図である。
【図７】図１、図２、図３の糸巻き枠の糸留め溝位置付近の外形形状に変化をつけた図である。
【図８】図１、図２、図３の糸巻き枠の糸留め溝位置を目視確認し易いようにその付近に着色表示した図である。
【図９】図１、図２、図３の糸巻き枠の糸留め溝位置付近の外形形状に変化をつけた図である。
【図１０】図１、図２、図３の糸巻き枠の糸留め溝位置を目視確認し易いようにその付近に着色表示した図である。
【図１１】図１、図２、図３の糸巻き枠の糸留め溝位置を目視確認し易いようにその付近に着色表示した図である。
【符号の説明】
【００１３】１              糸巻き枠
２              糸留め溝
３              溝位置を明確にする着色部
４              溝位置付近の外形形状変化部
【図１】
0003153286.tif 000003
【図２】
0003153286.tif 000004
【図３】
0003153286.tif 000005
【図４】
0003153286.tif 000006
【図５】
0003153286.tif 000007
【図６】
0003153286.tif 000008
【図７】
0003153286.tif 000009
【図８】
0003153286.tif 000010
【図９】
0003153286.tif 000011
【図１０】
0003153286.tif 000012
【図１１】
0003153286.tif 000013
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
糸巻き枠の糸留め溝付近に同溝の設定位置を示すための色付けか外形形状に変化を付けて同溝の設定位置を容易に目視検出できるようにした糸巻き枠。
【請求項２】
糸巻き枠の糸留め溝設定位置を容易に目視検出できるようにするために同溝付近に色付け明示した糸巻き枠。
(57)【要約】      （修正有）【課題】組立てや持ち運びが容易な簡易トイレを提供する。【解決手段】水平材２本が溶接された長方形の枠２つを水平材３本の溶接によりつなぎ、水平材３本はパイプの中にバネが内臓されていて中央で折曲がる。たたんだ状態から枠の垂直材を広げると、水平材が一文字になり、アルミ製のパイプが箱型を成し、箱の中で便座が水平材をまたいで固定される。便座にあいた楕円の穴に使い捨てビニールの汚物入れを設置して使用する。【選択図】図４
0003153283.tif 000002
【実用新案登録請求の範囲】
【請求項１】
１回の操作により、アルミ若しくはスティールパイプの枠が箱型を成し、同時に便座が水平に固定され、当該便座にあいただ円の穴に使い捨てビニールの汚物入れを設置して使用し、使用後は、各自汚物の入ったビニールを処分し、アルミの枠を折りたたんで持ち運び出来る簡易トイレ。
【考案の詳細な説明】
【技術分野】
【０００１】  本考案は、１回の操作により、どこにでも設置でき、使用後は折りたたんで持ち運びできるトイレに関するものである。汚物は、使い捨てのビニール袋の中で、市販の処理袋により、処理できる。
【背景技術】
【０００２】  簡易トイレは（病院等で使われる）ポータブルトイレ。屋外では（建築現場で使われる）仮設トイレが一般的であった。
【先行技術文献】
【特許文献】
【０００３】
【特許文献１】  ＄Ａ４７Ｋ１１／００
【特許文献２】
【考案の概要】
【考案が解決しようとする課題】
【０００４】  重量も重く、従来の屋外用トイレは組立てに手間がかかり、一人で容易に持ち運びをすることが出来ない。また汚物を下水道に接続して流す、若しくは、汲み取りにより取り出す方法によるものであるため、どちらの方法も不可能な状況下では、汚物の処理が出来ない。
【課題を解決するための手段】
【０００５】  便座と当該便座を囲む床を除く５面のシートがアルミ枠と一体化して箱型になり、１回の操作により、瞬時に設置形態を成し、仕様前使用後は折りたたんで容易に持ち運びが出来ることにより、時間的負担、労働的負担、及び経済的負担を解決している。
【考案の効果】
【０００６】  当該トイレを構成する、全ての部品が一体になり、１回の操作により連動して、箱型の個室トイレを成し、使用後は折りたたんで、持ち運びできる。
【図面の簡単な説明】
【０００７】
【図１】  シート。つながっていて、５面の箱型になる撥水素材のナイロン。
【図２】  正面。アルミ若しくはスティールフレームと便座。
【図３】  側面。アルミ若しくはスティールフレームと便座。
【図４】  平面図。アルミ若しくはスティールフレームと便座。
【考案を実施するための形態】
【０００８】  アルミ若しくはスチィールの柱を開くことにより、ＦＲＰの便座が９０度倒れて、水平方向のアルミの上に、ピッタリはまり便座となる。それと同時にナイロンのカバーが５面を覆い、箱型を型づくり、個室トイレとなる。ナイロンカバーは撥水性能を付しており、雨や雪にも対応出来る。便座中央にだ円の穴があいており、その中に、周囲をボール紙で固定した使い捨てビニールを設置して、トイレとして使用することが出来る。使用後は折りたたんで持ち運び可能となる。汚物用使い捨てビニールは、市販のものを使用して、各自処分する。
【産業上の利用可能性】
【０００９】  災害時等、屋外のみならず屋内においても、下水道をも含み、トイレの使用が不可能な状況が広いエリアで、また一定時間継続して続いた場合、不特定多数の人間の排泄の問題に対応出来る。一般住宅のエリアのみならず、多数の人間が利用する公共の建物やオフィスビル、屋外のスポーツ観戦場、及び街道等、あらゆる場所において、非常時の際の緊急用簡易トイレが必要となる。当該便座一体型簡易トイレは、専門業者による運搬や組立て技術、および労働を必要としないので、常備しておくことにより、予期しなかった災害時に、衛生と安全また風紀さらに、経済効果の上で役に立つ。
【符号の説明】
【００１０】  図１    １．撥水性ナイロン
２．ファスナー
図２    １．アルミ若しくはスティールパイプ
２．便座補強材、アルミ若しくはスティール
図３    １．アルミ若しくはスティールパイプ
図４    １．アルミ若しくはスティールパイプ
２．木製若しくはＦＲＰ
【図１】
0003153283.tif 000003
【図２】
0003153283.tif 000004
【図３】
0003153283.tif 000005
【図４】
0003153283.tif 000006
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
水平材２本が溶接された長方形の枠２つを水平材３本の溶接によりつなぎ、水平材３本はパイプの中にバネが内臓されていて中央で折曲がり、たたんだ状態から枠の垂直材を広げると、水平材が一文字になり、その操作により、アルミ製のパイプが箱型を成し、箱の中で便座が水平材をまたいで固定され、当該便座にあいた楕円の穴に使い捨てビニールの汚物入れを設置して使用し、使用後は、各自汚物の入ったビニールを処分し、アルミの枠を折りたたんで持ち運び出来る簡易トイレ。